(57)【要約】【課題】中間吹出口からの吹出風量が過大になることを抑制して冷却効率を良好なものとすること。【解決手段】ケース本体１０内部に設けられ、背面パネル１４の装着領域Ａに複数の貫通孔１５が形成された収納室１２と、ケース本体１０内部に収納室１２と区画されて設けられた空気通路２０と、収納室１２の内部の空気を収納室１２と空気通路２０との間で循環させるファン３１と、いずれかの貫通孔１５を貫通することにより後端部が空気通路２０に設けられた当接板５０に当接して空気通路２０を遮断する態様で装着され、ファン３１により吸込口１６を通じて吸い込まれて空気通路２０の一部を通過した空気を導入口４１より導入して中間吹出口４２より吹き出す中間ダクト４０を備えたショーケースであって、当接板５０は、背面パネル１４の装着領域Ａにおける高さレベルが最も下方となる貫通孔１５が形成された部分との離間距離が最小となる態様で構成されている。【選択図】図１
2018000427.tif 000002
【特許請求の範囲】
【請求項１】
ケース本体内部に設けられ、背面を構成する背面パネルの装着領域に複数の貫通孔が形成された収納室と、
前記ケース本体内部において前記収納室と吸込口及び吹出口を通じて連通するとともに、一部が前記背面パネルにより該収納室と区画されて設けられた空気通路と、
前記収納室の内部の空気を該収納室と前記空気通路との間で循環させる循環手段と、
いずれかの前記貫通孔を貫通することにより後端部が前記空気通路に設けられた当接板に当接して該空気通路を遮断する態様で装着され、かつ前記循環手段により前記吸込口を通じて吸い込まれて前記空気通路の一部を通過した空気を前記後端部に設けられた導入口より導入して前端部に設けられた中間吹出口より吹き出す中間ダクトと
を備え、前記収納室における前記中間ダクトの上方域と下方域とを異なる温度域にするショーケースであって、
前記当接板は、前記背面パネルの装着領域における高さレベルが最も下方となる貫通孔が形成された部分との離間距離が最小となる態様で構成されたことを特徴とするショーケース。
【請求項２】
前記当接板は、高さレベルが下方となる貫通孔が形成された部分との離間距離が該貫通孔よりも高さレベルが上方となる貫通孔が形成された部分との離間距離よりも相対的に小さくなる態様で構成されたことを特徴とする請求項１に記載のショーケース。
【請求項３】
前記当接板は、複数の段部が形成されてなり、高さレベルが低くなるに連れて前記背面パネルの装着領域との離間距離が前記貫通孔の高さレベル毎に小さくなるよう構成されたことを特徴とする請求項２に記載のショーケース。
【発明の詳細な説明】
【技術分野】
【０００１】
本発明は、ショーケースに関し、より詳細には、収納室に収納された商品を２つの異なる温度に保持するショーケースに関するものである。
【背景技術】
【０００２】
従来、収納室に収納された商品を２つの異なる温度に保持するショーケースとして、次のようなものが知られている。
【０００３】
例えば、前面開口が形成されたケース本体の内部の収納室に複数の商品陳列棚が上下方向に沿って並ぶよう設けられており、それぞれの商品陳列棚に商品が載置された陳列されている。
【０００４】
また、ケース本体の内部であって収納室外となる個所には、収納室下部の吸込口を通じて吸い込まれた空気が通過する空気通路が形成されている。この空気通路には、設置されたファンの駆動により通過する空気を冷却する蒸発器が設置されており、この蒸発器で冷却された空気は、収納室上部の吹出口より吹き出される。
【０００５】
更に、ケース本体には中間ダクトが装着されている。中間ダクトは、収納室の背面を構成する背面パネルにおける装着領域に形成されたいずれかの貫通孔を貫通することにより、空気通路を遮断する態様で装着されている。この中間ダクトは、蒸発器で冷却された空気を後端部に設けられた導入口より導入して前端部に設けられた中間吹出口より吹き出すことにより、自身の下方域の前面にエアカーテンを形成する。
【０００６】
このようなショーケースでは、収納室における中間ダクトの上方域と下方域とを異なる温度域にすることができ、該収納室に収納された商品を２つの異なる温度に保持することができる。
【０００７】
ところで、上記背面パネルは、下方に向かうに連れて漸次前方に傾斜しているのが一般的である。そのため、収納室の背面側の空気通路においては、上方側よりも下方側の方が前後方向の長さが大きくなる。これにより、背面側の空気通路の上方側と下方側とでは、該空気通路を遮断するための面積が異なっている。
【０００８】
そこで、収納室の背面側の空気通路において、背面パネルの背面領域と平行に傾斜する当接板が設けられ、該空気通路を遮断するための面積を一定にしたショーケースが提案されている（例えば、特許文献１参照）。
【先行技術文献】
【特許文献】
【０００９】
【特許文献１】特許第４６５２１００号公報
【発明の概要】
【発明が解決しようとする課題】
【００１０】
ところで、上述した従来のショーケースでは、中間ダクトが装着領域の様々な高さレベルに設けられたいずれかの貫通孔を貫通する態様で装着されることから、ファンの回転数は、中間ダクトが装着領域の最も上方に形成された貫通孔を貫通する態様で装着された場合に中間吹出口より十分な吹出風量が得られるように調整されている。
【００１１】
そのため、中間ダクトが装着領域の最も下方に形成された貫通孔を貫通する態様で装着された場合には、中間吹出口からの吹出風量が過大なものとなっていた。その結果、収納室の外部に放出される空気が増大し、冷却効率の低下を招来していた。
【００１２】
一方、装着される中間ダクトの高さレベルに応じてファンの回転数を可変にして吹出風量の最適化を図ることは可能であるが、これでは、中間ダクトがどの高さレベルに装着されたかを検出する検出手段等を必要とし、結果的に、部品点数の増大により製造コストの増大化を招来し好ましくない。
【００１３】
本発明は、上記実情に鑑みて、中間吹出口からの吹出風量が過大になることを抑制することができるショーケースを提供することを目的とする。
【課題を解決するための手段】
【００１４】
上記目的を達成するために、本発明に係るショーケースは、ケース本体内部に設けられ、背面を構成する背面パネルの装着領域に複数の貫通孔が形成された収納室と、前記ケース本体内部において前記収納室と吸込口及び吹出口を通じて連通するとともに、一部が前記背面パネルにより該収納室と区画されて設けられた空気通路と、前記収納室の内部の空気を該収納室と前記空気通路との間で循環させる循環手段と、いずれかの前記貫通孔を貫通することにより後端部が前記空気通路に設けられた当接板に当接して該空気通路を遮断する態様で装着され、かつ前記循環手段により前記吸込口を通じて吸い込まれて前記空気通路の一部を通過した空気を前記後端部に設けられた導入口より導入して前端部に設けられた中間吹出口より吹き出す中間ダクトとを備え、前記収納室における前記中間ダクトの上方域と下方域とを異なる温度域にするショーケースであって、前記当接板は、前記背面パネルの装着領域における高さレベルが最も下方となる貫通孔が形成された部分との離間距離が最小となる態様で構成されたことを特徴とする。
【００１５】
また本発明は、上記ショーケースにおいて、前記当接板は、高さレベルが下方となる貫通孔が形成された部分との離間距離が該貫通孔よりも高さレベルが上方となる貫通孔が形成された部分との離間距離よりも相対的に小さくなる態様で構成されたことを特徴とする。
【００１６】
また本発明は、上記ショーケースにおいて、前記当接板は、複数の段部が形成されてなり、高さレベルが低くなるに連れて前記背面パネルの装着領域との離間距離が前記貫通孔の高さレベル毎に小さくなるよう構成されたことを特徴とする。
【発明の効果】
【００１７】
本発明によれば、当接板が背面パネルの装着領域における高さレベルが最も下方となる貫通孔が形成された部分との離間距離が最小となる態様で構成されたので、該貫通孔を貫通する態様で中間ダクトが装着された場合に、中間吹出口からの吹出風量を低減させることができ、これにより、中間吹出口からの吹出風量が過大になることを抑制することができるという効果を奏する。
【図面の簡単な説明】
【００１８】
【図１】図１は、本発明の実施の形態であるショーケースを模式的に示す断面側面図である。
【図２】図２は、図１の要部を拡大して示す拡大断面側面図である。
【図３】図３は、本発明の実施の形態であるショーケースの変形例を模式的に示す断面側面図である。
【発明を実施するための形態】
【００１９】
以下に添付図面を参照して、本発明に係るショーケースの好適な実施の形態について詳細に説明する。
【００２０】
図１は、本発明の実施の形態であるショーケースを模式的に示す断面側面図である。ここで例示するショーケースは、ケース本体１０及び中間ダクト４０を備えている。
【００２１】
ケース本体１０は、前面に開口（以下、前面開口ともいう）１１が形成された略直方状の断熱筐体であり、その内部には収納室１２が形成されているとともに空気通路２０が設けられている。
【００２２】
収納室１２は、上記前面開口１１を臨む態様で形成された室であり、複数（図示の例では６つ）の商品陳列棚１３が上下方向に沿って複数段並ぶよう配設されている。この収納室１２の背面を構成する背面パネル１４は、下方に向かうに連れて漸次前方に傾斜している。商品陳列棚１３は、それぞれ棚板１３ａに商品を載置して陳列するものである。
【００２３】
空気通路２０は、ケース本体１０の内部であって収納室１２の外部に形成されており、吸込口１６から吹出口１７に至る通路である。ここで吸込口１６は、収納室１２の内部の空気を吸い込むための開口であり、左右方向に沿って延在するよう設けられた長尺状のものである。この吸込口１６は、収納室１２の下側前方縁部、すなわちケース本体１０の前面開口１１近傍の下部に設けられている。
【００２４】
吹出口１７は、収納室１２の内部に空気を吹き出すための開口である。この吹出口１７は、左右方向に沿って延在するよう設けられており、収納室１２の上側前方縁部、すなわちケース本体１０の前面開口１１近傍の上部に設けられている。
【００２５】
このような空気通路２０は、収納室１２の外部であってその下方にある下部ダクト２１と、収納室１２の外部であってその背面側にある背面ダクト２２と、収納室１２の外部であってその上方にある上部ダクト２３とが互いに連通した状態で構成されている。
【００２６】
上記下部ダクト２１の所定部位にはファン（循環手段）３１が設けられている。ファン３１は、空気を循環させるものである。本実施の形態では、ファン３１は、下部ダクト２１の所定部位に設けられているが、本発明では、ファン３１の配設位置は特に限定されるものではなく、後述するファン３１の機能を発揮することができる個所であればどこに設けても構わない。
【００２７】
上記背面ダクト２２には、蒸発器（冷却手段）３２が設けられている。蒸発器３２は、図示しない圧縮機、凝縮器及び膨張機構と冷媒管路で接続されて冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。
【００２８】
上記ショーケースにおいては、ファン３１が駆動することにより吸込口１６を通じて収納室１２の内部の空気を吸い込み、吸い込んだ空気が空気通路２０を通過する態様で吹出口１７まで送出し、吹出口１７を通じて収納室１２の内部に空気を吹き出すことにより、収納室１２と空気通路２０との間で空気を循環させるものである。そして、ファン３１の回転数は、吹出口１７からの吹出風量が最適な大きさとなるように調整されている。
【００２９】
蒸発器３２は、ファン３１が駆動することにより背面ダクト２２を下方から上方に向けて通過する空気と、膨張機構で低温低圧の状態にされた冷媒とを熱交換させるもの、より詳細には、低温低圧の冷媒を蒸発させることにより背面ダクト２２を通過する空気を冷却するものである。この蒸発器３２で蒸発した冷媒は、圧縮機に吸引されて冷凍サイクルを循環することになる。
【００３０】
中間ダクト４０は、全体として略平板状の形態を成している。この中間ダクト４０は、上記背面パネル１４の装着領域Ａに設けられたいずれかの高さレベルの貫通孔１５を貫通して後端部が背面ダクト２２の後面を構成する当接板５０に当接することで該背面ダクト２２を遮断して収納室１２に着脱可能に装着されるものである。
【００３１】
ここで、背面パネル１４の装着領域Ａは、最上段の商品陳列棚１３の下部から上から４段目の商品陳列棚１３の下部に至る領域であり、最上段の商品陳列棚１３の下部、上から２段目の商品陳列棚１３の下部、上から３段目の商品陳列棚１３の下部、上から４段目の商品陳列棚１３の下部のそれぞれの高さレベルに貫通孔１５が形成されている。
【００３２】
そして、図１に示すように、上記中間ダクト４０は、上から４段目の商品陳列棚１３の下部の貫通孔（高さレベルが最も下方となる貫通孔）１５ａを貫通して後端部が背面ダクト２２（空気通路２０）を遮断する態様で収納室１２に装着されている。
【００３３】
このような中間ダクト４０は、内部に風洞４０ａが設けられている。風洞４０ａは、前後方向に沿って延在するものであり、後端部に設けられた導入口４１及び前端部に設けられた中間吹出口４２に連通している。導入口４１は、下方に向けて開口しており、背面ダクト２２を通過する空気を導入するための開口である。中間吹出口４２は、下方に向けて開口しており、風洞４０ａを通過する空気を吹き出すための開口である。
【００３４】
上記当接板５０は、背面パネル１４の装着領域Ａに対して略平行となる態様で上下方向に沿って延在して背面ダクト２２の後面を構成している。この当接板５０は、背面パネル１４の装着領域Ａに対向する部分には複数の段部５１〜５３が形成されており、高さレベルが最も下方となる貫通孔１５ａが形成された部分との離間距離が最小となる態様で構成されている。
【００３５】
より詳細に説明すると、当接板５０は、背面パネル１４の装着領域Ａのうち高さレベルが最も下方となる貫通孔１５ａが形成された部分との離間距離Ｌ１が最小で、貫通孔１５ｂが形成された部分との離間距離Ｌ２が上記離間距離Ｌ１よりも大きく、貫通孔１５ｃが形成された部分との離間距離Ｌ３が上記離間距離Ｌ２よりも大きく、高さレベルが最も上方となる貫通孔１５ｄが形成された部分との離間距離Ｌ４が上記離間距離Ｌ３よりも大きくなるよう構成されている。
【００３６】
つまり、当接板５０は、高さレベルが下方となる貫通孔１５が形成された部分との離間距離が該貫通孔１５よりも高さレベルが上方となる貫通孔１５が形成された部分との離間距離よりも相対的に小さくなる態様で構成されている。
【００３７】
これにより、図２に示すように、中間ダクト４０が貫通孔１５ａを貫通して装着される場合には、離間距離Ｌ１が最小であるので、導入口４１の一部が収納室１２を臨むこととなる。中間ダクト４０が貫通孔１５ｂを貫通して装着される場合には、導入口４１の一部が収納室１２を臨んでいるが、離間距離Ｌ２が上記離間距離Ｌ１よりも大きいので導入口４１における収納室１２を臨む部分の面積が縮小して、背面ダクト２２を臨む部分の面積が増大している。
【００３８】
このように当接板５０の背面パネル１４の装着領域Ａとの離間距離は、高さレベルが高くなるに連れて高さレベル毎に大きくなっていくので、中間ダクト４０が装着される高さレベルが高くなるほど、導入口４１における収納室１２を臨む面積が減少して背面ダクト２２を臨む面積が増大していく。
【００３９】
そして、装着領域Ａのうち高さレベルが最も上方となる貫通孔１５ｄが形成された部分に中間ダクト４０が装着される場合、導入口４１は、背面ダクト２２だけを臨み、背面ダクト２２を臨む面積が最大となる。
【００４０】
以上のような構成を有するショーケースにおいては、圧縮機が駆動するともにファン３１が駆動することにより、収納室１２の内部の空気が次のように循環する。
【００４１】
吸込口１６を通じて空気通路２０の下部ダクト２１に吸い込まれた収納室１２の内部の空気は、該下部ダクト２１を通過した後に、背面ダクト２２を通過する。
【００４２】
背面ダクト２２を通過する空気は、蒸発器３２で冷却される。蒸発器３２で冷却された空気は、導入口４１を通じて風洞４０ａに導入され、該風洞４０ａを通過して中間吹出口４２を通じて吹き出される。この中間吹出口４２から吹き出された空気は、商品陳列棚１３の前端域を通過して吸込口１６より空気通路２０に吸い込まれることにより、収納室１２と空気通路２０とを循環する。これにより、収納室１２における中間ダクト４０の下方域の前面には、蒸発器３２で冷却された空気によるエアカーテンが形成される。
【００４３】
このようにして中間吹出口４２より吹き出される空気（冷気）により中間ダクト４０の下方域の前面にエアカーテンが形成されるので、収納室１２における中間ダクト４０の下方域を、中間ダクト４０の上方域よりも冷却することができる。これにより、収納室１２における中間ダクト４０の上方域と下方域とを異なる温度帯にすることができ、収納室１２の商品を２つの異なる温度に保持することができる。
【００４４】
ところで、上記ショーケースにおいて、当接板５０は、背面パネル１４の装着領域Ａにおける貫通孔１５ａが形成された部分との離間距離が最小に構成されている。
【００４５】
そのため、中間ダクト４０が貫通孔１５ａを貫通して装着される場合には、導入口４１の背面ダクト２２を臨む部分を通じて風洞４０ａに導入された空気の多くが該導入口４１の収納室１２を臨む部分を通じて吹き出されることとなり（図２参照）、中間吹出口４２より吹き出される空気の量（吹出風量）を低減させることができる。
【００４６】
更に、当接板５０は、高さレベルが低くなるに連れて装着領域Ａとの離間距離が高さレベル毎に小さくなるよう構成されているので、中間ダクト４０が装着される高さレベルが低くなるほど、導入口４１における背面ダクト２２を臨む面積が減少して収納室１２を臨む面積が増大する。
【００４７】
そのため、中間ダクト４０が装着される高さレベルが低くなるほど、中間吹出口４２からの吹出風量を低減させることができ、この結果、中間ダクト４０が装着される高さレベルに応じて、中間吹出口４２からの吹出風量を調整することができる。
【００４８】
以上説明したように、本発明の実施の形態であるショーケースによれば、当接板５０が、背面パネル１４の装着領域Ａにおける高さレベルが最も下方となる貫通孔１５ａが形成された部分との離間距離Ｌ１が最小となる態様で構成されているので、該貫通孔１５ａを貫通する態様で中間ダクト４０が装着された場合に、中間吹出口４２からの吹出風量を低減させることができ、これにより、中間吹出口４２からの吹出風量が過大になることを抑制することができる。
【００４９】
この結果、収納室１２の外部に放出される空気を低減して冷却効率を良好なものとすることができる。
【００５０】
上記ショーケースによれば、当接板５０が、高さレベルが低くなるに連れて装着領域Ａとの離間距離が高さレベル毎に小さくなるよう構成されているので、中間ダクト４０が装着される高さレベルに応じて中間吹出口４２からの吹出風量を調整することができ、これにより、冷却効率の向上を図ることができる。
【００５１】
以上、本発明の好適な実施の形態について説明したが、本発明はこれに限定されるものではなく、種々の変更を行うことができる。
【００５２】
上述した実施の形態では、当接板５０は、複数の段部５１〜５３が形成されて、高さレベルが低くなるに連れて背面パネル１４の装着領域Ａとの離間距離が高さレベル毎に小さくなるよう構成されていたが、本発明においては、図３に示すような構成であってもよい。尚、図３は、本発明の実施の形態であるショーケースの変形例を模式的に示す断面側面図である。上述した実施の形態であるショーケースと同一の構成を有するものには同一の符号を付している。
【００５３】
すなわち、ケース本体１０′における当接板５０′は、１つの段部５４が形成されて、背面パネル１４の装着領域Ａにおける貫通孔１５ａが形成された部分との離間距離が最小に構成されて、その他の貫通孔１５（１５ｂ〜１５ｄ）が形成された部分との離間距離が同じであってもよい。
【００５４】
このような構成によっても、貫通孔１５ａを貫通する態様で中間ダクト４０が装着された場合に、中間吹出口４２からの吹出風量を低減させることができ、これにより、中間吹出口４２からの吹出風量が過大になることを抑制して冷却効率を良好なものとすることができる。
【００５５】
上述した実施の形態では、当接板５０は、複数の段部５１〜５３が形成されて、高さレベルが低くなるに連れて背面パネル１４の装着領域Ａとの離間距離が高さレベル毎に小さくなるよう構成されていたが、本発明においては、当接板は、高さレベルが下方となる貫通孔が形成された部分との離間距離が該貫通孔よりも高さレベルが上方となる貫通孔が形成された部分との離間距離よりも相対的に小さくなる態様で構成されていればよい。従って、当接部は、段部が形成されないで、高さレベルが高くなるに連れて背面パネルの装着領域との離間距離が漸次大きくなる態様で構成されてもよい。
【符号の説明】
【００５６】
１０  ケース本体
１１  前面開口
１２  収納室
１３  商品陳列棚
１４  背面パネル
１５  貫通孔
１６  吸込口
１７  吹出口
２０  空気通路
３１  ファン
３２  蒸発器
４０  中間ダクト
４０ａ  風洞
４１  導入口
４２  中間吹出口
５０  当接板
【図１】
2018000427.tif 000003
【図２】
2018000427.tif 000004
【図３】
2018000427.tif 000005